(57)【要約】【課題】レーザレーダで検知した対象物を、より直感的にユーザに認知させる。【解決手段】走査ミラー部（１３）は、第１光源部（Ｄｉｒ）から出射された赤外レーザ光、第２光源部（Ｄｂ、Ｄｇ、Ｄｒ）から出射された可視レーザ光、または両者が重畳されたレーザ光を２次元走査する。反射光検出部（ＰＤ２）は、走査ミラー部（１３）を介して照射された赤外レーザ光の反射光を検出する。対象物認識部（２２）は、反射光検出部（ＰＤ２）により検出された反射光に基づき、赤外レーザ光の照射範囲（２）内に位置する対象物を認識する。対象物認識部２２により対象物が認識されると、第２光源部（Ｄｂ、Ｄｇ、Ｄｒ）は、対象物に関する情報に応じて異なる可視レーザ光を対象物または前記対象物の近傍または前記対象物およびその近傍に向けて照射する。【選択図】図１
2017003414.tif 000002
【特許請求の範囲】
【請求項１】
赤外レーザ光を出射する第１光源部と、
可視レーザ光を出射する第２光源部と、
前記第１光源部から出射された赤外レーザ光、前記第２光源部から出射された可視レーザ光、または両者が重畳されたレーザ光を２次元走査する走査ミラー部と、
前記走査ミラー部を介して照射された赤外レーザ光の反射光を検出する反射光検出部と、
前記反射光検出部により検出された反射光に基づき、前記赤外レーザ光の照射範囲内に位置する対象物を認識する対象物認識部と、を備え、
前記対象物認識部により対象物が認識されると、前記第２光源部は、当該対象物に関する情報に応じて異なる可視レーザ光を前記対象物または前記対象物の近傍または前記対象物およびその近傍に向けて照射することを特徴とするレーザレーダ装置。
【請求項２】
前記第２光源部は、複数色の可視レーザ光を出射可能であり、前記対象物までの距離に応じて異なる色の可視レーザ光を照射することを特徴とする請求項１に記載のレーザレーダ装置。
【請求項３】
前記対象物認識部は、前記対象物の形状に基づき前記対象物の種別を特定し、
前記第２光源部は、複数色の可視レーザ光を出射可能であり、前記対象物の種別に応じて異なる色の可視レーザ光を照射することを特徴とする請求項１に記載のレーザレーダ装置。
【請求項４】
前記対象物認識部は、前記対象物の形状に基づき前記対象物の種別を特定し、
前記第２光源部は、前記対象物の種別を反映した表示を形成するよう可視レーザ光を照射することを特徴とする請求項１に記載のレーザレーダ装置。
【請求項５】
前記対象物認識部は、前記対象物の移動方向を検出し、
前記第２光源部は、前記対象物の移動方向を反映した表示を形成するよう可視レーザ光を照射することを特徴とする請求項１に記載のレーザレーダ装置。
【請求項６】
赤外光源部から出射された赤外レーザ光を走査ミラー部を介して２次元走査するステップと、
前記走査ミラー部を介して照射された赤外レーザ光の反射光を検出するステップと、
検出された反射光に基づき、前記赤外レーザ光の照射範囲内に位置する対象物を認識するステップと、
前記対象物が認識されると、可視光源部から当該対象物に関する情報に応じて異なる可視レーザ光を前記対象物または前記対象物の近傍または前記対象物およびその近傍に向けて照射するステップと、
を備えることを特徴とする検知方法。
【発明の詳細な説明】
【技術分野】
【０００１】
本発明は、赤外レーザ光を２次元的に走査し、反射光を受光して対象物を認識するレーザレーダ装置および検知方法に関する。
【背景技術】
【０００２】
レーザを用いる対象物の距離測定方法として、赤外レーザをパルス発光させて、対象物からの反射光の時間的遅延量から対象物の距離を測定するＴＯＦ（Time of Flight）法が知られている。さらに、赤外レーザをポリゴンミラーやＭＥＭＳ(micro electro mechanical system)ミラーなどで２次元的に走査することにより広範囲のセンシングを行うことが出来るため、車載用途などの距離検出、障害物検出センサとして実用化されている。
【先行技術文献】
【特許文献】
【０００３】
【特許文献１】特開２０１１−１５４３２４号公報
【発明の概要】
【発明が解決しようとする課題】
【０００４】
レーザレーダ装置は、障害物などの対象物を検出すると、対象物をモニタに画像表示するものが一般的である。この場合、ユーザはモニタに表示された画像から、実際の対象物の位置や大きさを推測することになる。
【０００５】
しかしながらモニタの画像では、対象物との距離感や対象物の大きさを実感できない場合がある。また対象物とユーザが急速に接近している場合、対象物の接近をユーザがより直感的に認識できることが望ましい。
【０００６】
本発明はこうした状況に鑑みてなされたものであり、その目的は、レーザレーダで検知した対象物を、より直感的にユーザに認知させる技術を提供することにある。
【課題を解決するための手段】
【０００７】
上記課題を解決するために、本発明のある態様のレーザレーダ装置（１）は、赤外レーザ光を出射する第１光源部（Ｄｉｒ）と、可視レーザ光を出射する第２光源部（Ｄｂ、Ｄｇ、Ｄｒ）と、前記第１光源部（Ｄｉｒ）から出射された赤外レーザ光、前記第２光源部（Ｄｂ、Ｄｇ、Ｄｒ）から出射された可視レーザ光、または両者が重畳されたレーザ光を２次元走査する走査ミラー部（１３）と、前記走査ミラー部（１３）を介して照射された赤外レーザ光の反射光を検出する反射光検出部（ＰＤ２）と、前記反射光検出部（ＰＤ２）により検出された反射光に基づき、前記赤外レーザ光の照射範囲内に位置する対象物を認識する対象物認識部（２２）と、を備える。前記対象物認識部（２２）により対象物が認識されると、前記第２光源部（Ｄｂ、Ｄｇ、Ｄｒ）は、当該対象物に関する情報に応じて異なる可視レーザ光を前記対象物または前記対象物の近傍または前記対象物およびその近傍に向けて照射する。
【０００８】
本発明の別の態様は、検知方法である。この方法は、赤外光源部（Ｄｉｒ）から出射された赤外レーザ光を走査ミラー部（１３）を介して２次元走査するステップと、前記走査ミラー部（１３）を介して照射された赤外レーザ光の反射光を検出するステップと、検出された反射光に基づき、前記赤外レーザ光の照射範囲内に位置する対象物を認識するステップと、前記対象物が認識されると、可視光源部（Ｄｂ、Ｄｇ、Ｄｒ）から当該対象物に関する情報に応じて異なる可視レーザ光を前記対象物または前記対象物の近傍または前記対象物およびその近傍に向けて照射するステップと、を備える。
【０００９】
なお、以上の構成要素の任意の組合せ、本発明の表現を方法、装置、システムなどの間で変換したものもまた、本発明の態様として有効である。
【発明の効果】
【００１０】
本発明によれば、レーザレーダで検知した対象物を、より直感的にユーザに認知させることができる。
【図面の簡単な説明】
【００１１】
【図１】本発明の実施の形態に係るレーザレーダ装置の構成を示す図である。
【図２】本実施の形態に係るレーザレーダ装置を車載用途で使用する場合の例を模式的に描いた図である。
【図３】実施例１に係る対象物認識部内に構築される参照テーブルの一例を示す図である。
【図４】図４（ａ）、（ｂ）は、実施例１に係る対象物の検出結果と、照射データの一例を示す図である。
【図５】実施例１に係るレーザレーダ装置の動作を説明するためのフローチャートである。
【図６】実施例２に係る対象物認識部内に構築される参照テーブルの一例を示す図である。
【図７】図７（ａ）、（ｂ）は、実施例２に係る対象物の検出結果と、照射データの一例を示す図である。
【図８】実施例２に係るレーザレーダ装置の動作を説明するためのフローチャートである。
【図９】図９（ａ）、（ｂ）は、実施例３に係る対象物の検出結果と、照射データの一例を示す図である。
【図１０】実施例３に係るレーザレーダ装置の動作を説明するためのフローチャートである。
【図１１】図１１（ａ）、（ｂ）は、実施例４に係る対象物の検出結果と、照射データの一例を示す図である。
【図１２】図１２（ａ）、（ｂ）は、実施例４に係る対象物の検出結果と、照射データの別の例を示す図である。
【図１３】実施例４に係るレーザレーダ装置の動作を説明するためのフローチャートである。
【発明を実施するための形態】
【００１２】
図１は、本発明の実施の形態に係るレーザレーダ装置１の構成を示す図である。レーザレーダ装置１はレーザ光源部１０を備え、レーザ光源部１０は、可視レーザ光を出射する可視レーザ光源部と、赤外レーザ光を出射する赤外レーザ光源部を含む。図１では可視レーザ光源として３原色のレーザ光源（青色レーザダイオードＤｂ、緑色レーザダイオードＤｇ、赤色レーザダイオードＤｒ）を使用する例を描いている。
【００１３】
青色レーザダイオードＤｂの出射部にコリメータレンズ１１が配置され、略平行光の青色コリメート光が形成される。同様に緑色レーザダイオードＤｇの出射部にはコリメータレンズ１１が配置され、略平行光の緑色コリメート光が形成される。同様に赤色レーザダイオードＤｒの出射部にはコリメータレンズ１１が配置され、略平行光の緑色コリメート光が形成される。同様に赤外レーザダイオードＤｉｒの出射部にはコリメータレンズ１１が配置され、略平行光の赤外コリメート光が形成される。
【００１４】
３原色のレーザ光源および赤外レーザ光源から出射された各レーザ光の光軸は、４つのダイクロイックミラー１２を経て略同軸に調整されて合成される。略同軸上に合成されたレーザビーム光は偏向ミラー１３に入射される。
【００１５】
青色レーザダイオードＤｂ、緑色レーザダイオードＤｇ及び赤色レーザダイオードＤｒは可視光源ドライバ３３により駆動され、それぞれ独立に発光／消光制御される。赤外レーザダイオードＤｉｒは赤外光源ドライバ３２により駆動され、発光／消光制御される。従ってレーザ光源部１０は、赤外レーザ光、可視レーザ光、又は両者が重畳されたレーザ光を出射可能である。
【００１６】
偏向ミラー１３は２軸回動可能な２軸偏向ミラーであり、ＭＥＭＳミラーやポリゴンミラーを使用できる。以下の説明では、より高速で細かな走査が可能なＭＥＭＳミラーを使用する例を想定する。偏向ミラー１３は、レーザ光源部１０から入射されるレーザ光を反射して２次元走査する。以下の説明では、２次元走査としてラスタスキャンする例を想定する。なおラスタスキャンの代わりにリサージュスキャンを使用することも可能である。
【００１７】
偏向ミラー１３によりラスタスキャンされたレーザ光は、図示しない投射口から外部に投射される。投射口から投射されたレーザ光は投射方向の空間に物体が存在する場合、その物体表面で反射する。投射方向は、レーザレーダ装置１の使用用途により様々であり、レーザレーダ装置１が車両前方の物体を検出する用途であれば、車両前方を投射方向として車両前方の広い範囲が２次元走査される。この場合に検出される物体は、人や他の車両、建造物などである。赤外レーザ光のみが投射される場合は人間は目視できない。図１ではレーザ光の照射範囲２におけるレーザ光のラスタスキャン軌跡を模式的に描いている。
【００１８】
赤外レーザダイオードＤｉｒから出射された赤外レーザ光は、１段目のダイクロイックミラー１２で分岐され、参照光検出器ＰＤ１に入射する。参照光検出器ＰＤ１は入射された赤外レーザ光を電気信号（以下、参照信号という）に変換して出力する。アンプＡＰ１は、参照光検出器ＰＤ１から出力される参照信号を増幅する。
【００１９】
赤外レーザダイオードＤｉｒから出射された赤外レーザ光は偏向ミラー１３を介して外部にも照射される。照射された赤外レーザ光は、外部に存在する種々の物質表面にあたり反射する。集光レンズ１４は、反射された赤外レーザ光を集光する。反射光検出器ＰＤ２は、集光レンズ１４を介して入射される赤外レーザ反射光を電気信号（以下、検出信号という）に変換して出力する。アンプＡＰ２は、反射光検出器ＰＤ２から出力される検出信号を増幅する。なお、図示はしていないが反射光検出器ＰＤ２の前段に赤外線を透過し可視光を遮断するような光学フィルターを配置することにより検出誤動作を軽減することが出来る。
【００２０】
同期クロック供給部３１は、水晶振動子などの発振器を含み、当該発振器の出力信号から同期信号を生成する。同期クロック供給部３１は生成した同期信号を、赤外光源ドライバ３２、可視光源ドライバ３３、走査ミラードライバ３４及び距離測定部２１に供給する。
【００２１】
走査ミラードライバ３４は、同期クロック供給部３１から供給される同期信号をもとに、偏向ミラー１３をラスタスキャン制御する。即ち走査ミラードライバ３４は、スキャン位置を走査領域の左上端から右下端に向けて順次移動させる。具体的にはＸ軸方向（主走査方向）を左から右に順次更新し、スキャン位置が右端に到達するとＹ軸方向（副走査方向）を下に１つ更新する。この処理を繰り返すことにより、スキャン位置が走査領域の右下端に到達する。右下端に到達すると１フレーム分のラスタスキャンが終了し、次のフレームのラスタスキャンが左上端から開始する。ラスタスキャンは例えば１秒間に６０フレーム分、行われる。なおフレームレートは６０Ｈｚに限らず、１５Ｈｚ、３０Ｈｚ、１２０Ｈｚ等であってもよい。
【００２２】
赤外光源ドライバ３２は、同期クロック供給部３１から供給される同期信号をもとに、赤外レーザダイオードＤｉｒをパルス発光させる。赤外レーザダイオードＤｉｒから出射された赤外レーザ光は、参照光検出器ＰＤ１により参照光として検出される。また当該赤外レーザ光は偏向ミラー１３によりラスタスキャンされた後、照射範囲２内に存在する物質表面で反射され、反射光検出器ＰＤ２により反射光として検出される。
【００２３】
参照光検出器ＰＤ１により参照光として検出された参照信号はアンプＡＰ１で増幅され、距離測定部２１に出力される。反射光検出器ＰＤ２により反射光として検出された検出信号はアンプＡＰ２で増幅され、距離測定部２１に出力される。
【００２４】
距離測定部２１は、検出信号の参照信号に対する時間的な遅延量をもとにレーザレーダ装置１から反射点までの距離を測定する（ＴＯＦ（Time of Flight）法）。赤外光源ドライバ３２、走査ミラードライバ３４及び距離測定部２１には同じ同期信号が入力されるため距離測定部２１は、スキャン位置ごとに何クロック遅延しているかを検出でき、遅延クロック数に応じて各スキャン位置における反射点までの距離を推定できる。距離測定部２１は、各スキャン位置の距離情報を対象物認識部２２に出力する。
【００２５】
対象物認識部２２は、距離測定部２１から入力された距離と設定距離を比較し、入力された距離が設定距離以下の場合、対象物の存在を認識する。当該設定距離は、障害物が存在しない状態の反射点（例えば、地面や壁）までの距離より短い距離に設定される。当該反射点までの距離はレーザレーダ装置１の設置位置や使用場所により異なる。
【００２６】
対象物認識部２２は、フレームごとに各スキャン位置の距離情報をマッピングした距離マップデータを生成する。対象物認識部２２は当該距離マップデータをもとに対象物の位置および形状を特定する。隣接するスキャン位置において検出距離が近い場合、同一対象物と判定する。
【００２７】
パターン保持部２３は、各種対象物の識別パターンデータを保持する。例えば歩行者の識別パターンデータ、自動車の識別パターンデータ等を保持する。対象物認識部２２は、距離マップデータから検出した対象物の形状と、パターン保持部２３に保持されたパターンデータとを照合し、対象物の種別を判定する。この照合には、一般的なパターンマッチングアルゴリズムを使用すればよく、特にアルゴリズムは限定されない。
【００２８】
対象物認識部２２は、フレーム内において対象物を認識した場合、生成した当該フレームの距離マップデータを投射データ決定部２４に供給する。対象物の種別を判定した場合は対象物の種別も投射データ決定部２４に供給する。
【００２９】
投射データ決定部２４は、対象物認識部２２から供給された距離マップデータをもとに次のフレームの投射データを決定する。例えば各スキャン位置の距離情報に応じて、各スキャン位置に色データを割り当てる。原則的に対象物が存在しないスキャン位置に赤外データを割り当て、対象物が存在するスキャン位置に色データを割り当てる。その際、対象物までの距離に応じて色データを決定する。例えば距離が短いほど、より目立つ色を割り当ててもよい。また、赤外レーザ光は対象物が存在するスキャン位置であっても連続的に出力されていてもよい。
【００３０】
上記の割り当て方法では、対象物に可視レーザ光が照射されることになる。なお可視レーザ光の照射位置と対象物の位置は完全に一致している必要はなく、対象物より広い範囲に可視レーザ光を照射してもよい。その場合、フレーム内において対象物が存在するスキャン位置の近傍にも、当該対象物の距離に応じた色データを割り当てる。
【００３１】
上述のように対象物までの距離に応じて色データを決定するのではなく、対象物の形状に応じて色データを決定してもよい。なお本明細書では「対象物の形状」は「対象物の大きさ」を含む概念とする。従って相似している２つの対象物でも、大きさが異なれば別の対象物とする。例えば対象物が大きいほど、より目立つ色を割り当ててもよい。また対象物の種別に応じて色データを決定してもよい。
【００３２】
上記の割り当て方法では、フレーム内において対象物が存在するスキャン位置に、無地の色データを割り当てたが、対象物が存在するスキャン位置に、特定の模様、マーク、文字などを含む画像データを割り当ててもよい。当該画像データは、レーザレーダ装置１のユーザに対するメッセージを含むものであってもよい。また対象物が人物の場合、当該人物に対するメッセージを含むものであってもよい。これらの画像データは投射データ保持部２５に保持される。
【００３３】
画像データを割り当てる位置は、対象物の位置と完全に一致している必要はなく、対象物とずれた位置（例えば、対象物の近傍の位置）であってもよい。また対象物を包含する広範囲の位置であってもよい。例えば対象物が人物の場合、人物のアイセーフの観点から、頭部の範囲を除いた位置に画像データを割り当ててもよい。
【００３４】
また上記と同様に、対象物までの距離に応じて画像データの内容を決定してもよいし、対象物の形状に応じて画像データの内容を決定してもよい。また対象物の種別に応じて画像データの内容を決定してもよい。例えば対象物の種別を反映した内容を画像データに決定してもよい。例えば対象物の種別を暗喩したマークの画像データに決定してもよいし、対象物の種別に応じたメッセージを含む画像データに決定してもよい。
【００３５】
投射データ決定部２４は、フレームごとに決定した投射データを投射データ設定部２６に供給する。投射データ設定部２６は、供給された投射データを可視光源ドライバ３３に設定する。可視光源ドライバ３３は、設定された投射データに従い青色レーザダイオードＤｂ、緑色レーザダイオードＤｇ及び赤色レーザダイオードＤｒを駆動する。例えば投射データとして赤データが設定されたスキャン位置では、赤色レーザダイオードＤｒを点灯させ、青色レーザダイオードＤｂ及び緑色レーザダイオードＤｇを消灯させる。
【００３６】
なお各レーザダイオードは、印加電圧を制御することにより色の階調を制御できる。このような階調制御が可能な構成では、より多様な色を再現できる。
【００３７】
以下、本実施の形態に係るレーザレーダ装置１の適用例を説明する。
図２は、本実施の形態に係るレーザレーダ装置１を車載用途で使用する場合の例を模式的に描いた図である。図２では、レーザレーダ装置１は車両のフロントガラスの内側に設置されている。なおレーザレーダ装置１の設置位置は、車両の前方を照射範囲２にできる位置であればよく特に限定せず、フロントバンパ内やフロントグリル内などであってもよい。
【００３８】
この用途では常時、照射範囲２に赤外レーザ光を投射し、照射範囲２内において対象物が検知された場合、当該対象物または当該対象物の近傍または当該対象物およびその近傍に向けて可視レーザ光が照射されることになる。対象物が検知されない間は赤外レーザ光しか投射されないため、運転者はレーザレーダ装置１からのレーザ光の投射を意識することなく運転操作をできる。車両の前方に歩行者、自転車、先行車、対向車、障害物などの対象物が検知された場合、原則として当該対象物が可視光で照らされる。このような制御は特に夜間走行時に有効であり、可視光で対象物を照らすことにより運転者は対象物の位置を瞬時に正確に把握できる。
【００３９】
（実施例１）
以下、レーザレーダ装置１を車載用途に使用する場合の実施例１を説明する。実施例１は、対象物認識部２２により認識された対象物の距離に応じて、当該対象物に予め設定された色の可視レーザ光を照射する例である。実施例１では対象物の種別を判定する必要はなくパターン保持部２３は省略可能である。また対象物には無地の可視レーザ光を照射するため、投射用の画像データを保持する必要もなく投射データ保持部２５も省略可能である。
【００４０】
図３は、実施例１に係る対象物認識部２２内に構築される参照テーブル２２１の一例を示す図である。当該参照テーブル２２１は、距離測定部２１により測定されたレーザレーダ装置１から対象物までの距離と、可視レーザ光源から照射するレーザ光の色とを関連付けたテーブルである。
【００４１】
図３に示す例では、対象物までの距離が５ｍ未満の場合は赤色レーザ光を、５ｍ以上１０ｍ未満の場合は黄色レーザ光を、１０ｍ以上の場合は白色レーザ光を照射するよう設定されている。これは車両と対象物までの距離が近いほど、より運転者の注意を強く喚起する色で対象物を照らすように設定したものである。
【００４２】
可視光源ドライバ３３は、赤色レーザ光が選択された場合は赤色レーザダイオードＤｒを発光させ、青色レーザダイオードＤｂ及び緑色レーザダイオードＤｇを消光させる。黄色レーザ光が選択された場合は緑色レーザダイオードＤｇ及び赤色レーザダイオードＤｒを発光させ、青色レーザダイオードＤｂを消光させる。白色レーザ光が選択された場合は赤色レーザダイオードＤｒ、緑色レーザダイオードＤｇ及び青色レーザダイオードＤｂの全てを発光させる。
【００４３】
図４（ａ）、（ｂ）は、実施例１に係る対象物の検出結果と、照射データの一例を示す図である。図４（ａ）は照射範囲２における距離マップデータを示している。この距離マップデータは、赤外レーザ光の反射光に基づき生成される。図４（ａ）に示す例では第１対象物（落下物：ダンボール）Ｏ１、第２対象物（人物）Ｏ２、第３対象物（対向車）０３の３つの対象物が検出されている。なお実施例１では基本的に対象物の種別判定を行わないため対象物認識部２２は、対象物の種別は特定していない。
【００４４】
第１対象物Ｏ１とレーザレーダ装置１の距離は５ｍ未満であり、投射データ決定部２４は第１対象物Ｏ１のスキャン位置に赤色データを割り当てる。第２対象物Ｏ２とレーザレーダ装置１の距離は５ｍ以上１０ｍ未満であり、投射データ決定部２４は第２対象物Ｏ２のスキャン位置に黄色データを割り当てる。第３対象物Ｏ３とレーザレーダ装置１の距離は１０ｍ以上であり、投射データ決定部２４は第３対象物Ｏ３のスキャン位置に白色データを割り当てる。投射データ決定部２４は投射データとして、色データの割当情報を投射データ設定部２６に渡し、投射データ設定部２６は当該投射データを可視光源ドライバ３３に設定する。
【００４５】
図４（ｂ）は、レーザ光源部１０から照射されるレーザ光の照射パターンを示している。第１対象物Ｏ１が存在する位置に赤色レーザ光が照射され、第２対象物Ｏ２が存在する位置に黄色レーザ光が照射され、第３対象物Ｏ３が存在する位置に白色レーザ光が照射される。その他の位置は赤外レーザ光のみが投射される。なお第１対象物Ｏ１、第２対象物Ｏ２及び第３対象物Ｏ３が存在する位置にも赤外レーザ光は投射される。
【００４６】
図４（ｂ）では各対象物を包含する最小の矩形領域に可視レーザ光を照射する例を描いているが、各対象物の形状と同じ領域に可視レーザ光を照射してもよい。夜間走行中では各対象物に、距離に応じた色のスポットライトが当たった状態になり、運転者は対象物の位置と距離感を直感的に把握できる。
【００４７】
図５は、実施例１に係るレーザレーダ装置１の動作を説明するためのフローチャートである。赤外レーザ光源は、車両前方の所定の照射範囲に赤外レーザ光を投射する（Ｓ１０）。反射光検出器ＰＤ２は当該赤外レーザ光の反射光を検出する（Ｓ１１）。距離測定部２１は当該赤外レーザ光の反射光の、参照光に対する遅延量を検出し、対象物認識部２２は当該遅延量から反射点までの距離を測定する（Ｓ１２）。
【００４８】
対象物認識部２２は、反射点までの距離をもとに対象物を検出する（Ｓ１３）。反射点までの距離が設定距離より短いスキャン位置が検出された場合、対象物が検出されたと判定する。なおノイズを除去するため、反射点までの距離が設定距離より短いスキャン位置が、一定サイズ以上の塊で出現したときに対象物が検出されたと判定してもよい。
【００４９】
対象物が検出された場合（Ｓ１３のＹ）、対象物認識部２２は対象物のスキャン位置を特定する（Ｓ１４）。投射データ決定部２４は、検出された対象物までの距離に応じて照射光の色を決定する（Ｓ１５）。投射データ設定部２６は対象物のスキャン位置に、決定された色データを投射データとして設定する。可視光源ドライバ３３は当該投射データをもとに可視レーザ光源を駆動する（Ｓ１６）。
【００５０】
ステップＳ１３において対象物が検出されない場合（Ｓ１３のＮ）、ステップＳ１４からステップＳ１６までの処理はスキップされる。以上に説明したステップＳ１０からステップＳ１６までの処理が、レーザレーダ装置１の電源がオンの間（Ｓ１７のＮ）、繰り返し実行され、レーザレーダ装置１の電源がオフになると（Ｓ１７のＹ）、終了する。また、ステップＳ１０からステップＳ１６の処理は、ラスタスキャンの１フレーム毎に実行されるため、車両の走行や検出した対象物の移動などで相対的な距離が変化すると、その変化に対応して、照射光の色も変化する。
【００５１】
以上説明したように実施例１によれば、車両前方の所定の範囲に赤外レーザ光を投射し、当該赤外レーザ光の反射光から対象物を認識する。対象物を認識した場合、当該対象物または当該対象物およびその近傍に、当該対象物までの距離に応じた色の可視レーザ光を照射する。これにより、レーザレーダで検知した対象物を、より直感的にユーザに認知させることができる。運転者は、ディスプレイに依らずに対象物の位置、大きさを直接認識できる。
【００５２】
また対象物との距離が近いほど目立つ色の可視光を当該対象物に照射することにより、運転者に色で緊急度を伝えることができる。また可視レーザ光源と赤外レーザ光源とで、偏向ミラー１３を含む光学系を共有した構成であるため、両者を別々の光学系で構成する場合よりコストを削減できる。またレーザレーダ装置１の小型化にも寄与する。また対象物の検出位置と可視レーザ光の照射位置との位置ずれを少なくできる。
【００５３】
（実施例２）
次に、レーザレーダ装置１を車載用途に使用する場合の実施例２を説明する。実施例２は、対象物認識部２２により認識された対象物の種別に応じて、当該対象物に予め設定された色の可視レーザ光を照射する例である。実施例２でも対象物には無地の可視レーザ光を照射するため、投射用の画像データを保持する必要はなく投射データ保持部２５は省略可能である。
【００５４】
図６は、実施例２に係る対象物認識部２２内に構築される参照テーブル２２２の一例を示す図である。当該参照テーブル２２２は、対象物認識部２２により認識された対象物の種別と、可視レーザ光源から照射するレーザ光の色とを関連付けたテーブルである。
【００５５】
図６に示す例では、対象物が人物の場合は赤色レーザ光を、対象物が自動車、自転車等の場合は黄色レーザ光を、建物、落下物、標識等の場合は白色レーザ光を照射するよう設定されている。これは、車両との衝突を回避する必要性が高いほど、より運転者の注意を強く喚起する色で対象物を照らすように設定したものである。
【００５６】
図７（ａ）、（ｂ）は、実施例２に係る対象物の検出結果と、照射データの一例を示す図である。図７（ａ）は、図４（ａ）に示した距離マップデータと同じである。なお実施例２では対象物認識部２２は、パターン保持部２３に保持されるパターンデータを用いて対象物の種別を特定する。
【００５７】
第１対象物Ｏ１は落下物（ダンボール）であり、投射データ決定部２４は第１対象物Ｏ１のスキャン位置に白色データを割り当てる。第２対象物Ｏ２は人物であり、投射データ決定部２４は第２対象物Ｏ２のスキャン位置に赤色データを割り当てる。第３対象物Ｏ３は自動車であり、投射データ決定部２４は第３対象物Ｏ３のスキャン位置に黄色データを割り当てる。投射データ決定部２４は投射データとして、色データの割当情報を投射データ設定部２６に渡し、投射データ設定部２６は当該投射データを可視光源ドライバ３３に設定する。
【００５８】
図７（ｂ）は、レーザ光源部１０から照射されるレーザ光の照射パターンを示している。第１対象物Ｏ１が存在する位置に白色レーザ光が照射され、第２対象物Ｏ２が存在する位置に赤色レーザ光が照射され、第３対象物Ｏ３が存在する位置に黄色レーザ光が照射される。その他の位置は赤外レーザ光のみが投射される。
【００５９】
図８は、実施例２に係るレーザレーダ装置１の動作を説明するためのフローチャートである。赤外レーザ光源は、車両前方の所定の照射範囲に赤外レーザ光を投射する（Ｓ２０）。反射光検出器ＰＤ２は当該赤外レーザ光の反射光を検出する（Ｓ２１）。距離測定部２１は当該赤外レーザ光の反射光の、参照光に対する遅延量を検出し、対象物認識部２２は当該遅延量から反射点までの距離を測定する（Ｓ２２）。
【００６０】
対象物認識部２２は、反射点までの距離が設定距離より短いスキャン位置が出現すると対象物が検出されたと判定する（Ｓ２３）。対象物が検出された場合（Ｓ２３のＹ）、対象物認識部２２は対象物のスキャン位置と、対象物の形状を特定する（Ｓ２４）。対象物の形状として、例えば距離マップデータから対象物の輪郭を抽出する。対象物認識部２２は対象物の形状から、パターン保持部２３を参照して対象物の種別を特定する（Ｓ２５）。投射データ決定部２４は、特定された対象物の種別に応じて照射光の色を決定する（Ｓ２６）。投射データ設定部２６は対象物のスキャン位置に、決定された色データを投射データとして設定する。可視光源ドライバ３３は当該投射データをもとに可視レーザ光源を駆動する（Ｓ２７）。
【００６１】
ステップＳ２０からステップＳ２７までの処理は、ラスタスキャンの１フレーム毎に実行されるが、ステップＳ２３において対象物が検出されステップＳ２４およびステップＳ２５による対象物の形状特定処理および対象物の種別特定処理は、一旦対象物の種別が特定された後は、例えば５〜１０フレーム毎など間隔を置いて実行されてもよい。
【００６２】
また、本実施例においても実施例１同様に対象物までの距離を測定し、車両の走行や検出した対象物の移動などで相対的な距離が例えば５ｍ未満など所定未満となった場合は、対象物に対応した色の照射光が点滅して見えるように、例えば５〜１０フレーム毎に投射と投射停止を繰り返すなどの処理を実行してもよい。
【００６３】
ステップＳ２３において対象物が検出されない場合（Ｓ２３のＮ）、ステップＳ２４からステップＳ２７までの処理はスキップされる。以上に説明したステップＳ２０からステップＳ２７までの処理が、レーザレーダ装置１の電源がオンの間（Ｓ２８のＮ）、繰り返し実行され、レーザレーダ装置１の電源がオフになると（Ｓ２８のＹ）、終了する。
【００６４】
以上説明したように実施例２によれば、実施例１と同様の効果を奏する。また衝突を回避する要請が強い対象物ほど目立つ色の可視光を照射することにより、運転者に色で衝突回避の緊急性を伝えることができる。
【００６５】
（実施例３）
次に、レーザレーダ装置１を車載用途に使用する場合の実施例３を説明する。実施例３は、対象物認識部２２により認識された対象物の種別を反映した表示を形成するよう可視レーザ光を照射する例である。実施例３では投射用の画像データを保持する必要があり、投射データ保持部２５が必須となる。
【００６６】
図９（ａ）、（ｂ）は、実施例３に係る対象物の検出結果と、照射データの一例を示す図である。図９（ａ）は、図４（ａ）、図７（ａ）に示した距離マップデータと同じである。実施例３でも対象物認識部２２は、パターン保持部２３に保持されるパターンデータを用いて対象物の種別を特定する。
【００６７】
第１対象物Ｏ１は落下物（ダンボール）であり、投射データ決定部２４は第１対象物Ｏ１のスキャン位置に「落」の文字を含む画像データ又は「落」のテキストデータを割り当てる。第２対象物Ｏ２は人物であり、投射データ決定部２４は第２対象物Ｏ２のスキャン位置に人物マークの画像データを割り当てる。第３対象物Ｏ３は自動車であり、投射データ決定部２４は第３対象物Ｏ３のスキャン位置に自動車マークの画像データを割り当てる。投射データ決定部２４は投射データとして、画像データ又はテキストデータを投射データ設定部２６に渡し、投射データ設定部２６は当該画像データ又はテキストデータをもとに、可視光源ドライバ３３に投射データを設定する。
【００６８】
図９（ｂ）は、レーザ光源部１０から照射されるレーザ光の照射パターンを示している。第１対象物Ｏ１が存在する位置に「落」の文字が投影され、第２対象物Ｏ２が存在する位置に人物マークが投影され、第３対象物Ｏ３が存在する位置に自動車マークが投影される。その他の位置は赤外レーザ光のみが投射される。
【００６９】
図１０は、実施例３に係るレーザレーダ装置１の動作を説明するためのフローチャートである。図１０のフローチャートのステップＳ３０からステップＳ３８までの処理は、図８のフローチャートのステップＳ２０からステップＳ２８までの処理と、ステップＳ３６及びステップＳ３７の処理を除き共通である。ステップＳ３６では投射データ決定部２４は、対象物認識部２２により特定された対象物の種別に応じて照射データを決定する（Ｓ３６）。投射データ設定部２６は対象物のスキャン位置に、決定された投射データを設定する。可視光源ドライバ３３は当該投射データをもとに可視レーザ光源を駆動する（Ｓ３７）。本実施例においても実施例２のように対象物までの相対距離が所定未満となった場合は、照射パターンが点滅して見えるような処理を実行してもよい。
【００７０】
以上説明したように実施例３によれば、実施例１と同様の効果を奏する。また対象物の種別を反映したマークや文字を当該対象物に投影させることにより、運転者に対象物の位置と種別を直感的に把握させることができる。
【００７１】
（実施例４）
次に、レーザレーダ装置１を車載用途に使用する場合の実施例４を説明する。実施例４は、対象物認識部２２により認識された対象物の移動方向を反映した表示を形成するよう可視レーザ光を照射する例である。なお当該表示は対象物の種別を反映していてもよい。
【００７２】
実施例４では対象物認識部２２は、現フレーム（現距離マップデータ）で検出された対象物の位置と、過去フレーム（過去距離マップデータ）で検出された当該対象物の位置との差分を検出して、当該対象物の動きベクトルを検出する。対象物認識部２２は、連続する２枚のフレーム間の動きベクトルを順次検出していき、検出した動きベクトルの平均値を算出することにより当該対象物の移動速度を推定できる。
【００７３】
図１１（ａ）、（ｂ）は、実施例４に係る対象物の検出結果と、照射データの一例を示す図である。図１１（ａ）では、照射範囲２における距離マップデータ内において、第４対象物（人物）Ｏ４が検出されている。対象物認識部２２は、連続する距離マップデータ間の第４対象物Ｏ４の位置を検出することにより、第４対象物Ｏ４の移動方向が右から左であることを検出する。また連続的に検出される第４対象物Ｏ４の動きベクトルから第４対象物Ｏ４の移動速度を検出する。
【００７４】
投射データ決定部２４は第４対象物Ｏ４のスキャン位置に所定の色データ（例えば赤色データ）を割り当てるとともに、第４対象物Ｏ４のスキャン位置の左側に、第４対象物Ｏ４の進行方向を示す矢印の画像データを割り当てる。なお第４対象物Ｏ４のスキャン位置に人物マークの画像データを割り当ててもよい。なお矢印の画像データを割り当てる位置は第４対象物Ｏ４の移動速度に応じて調整される。投射データ決定部２４は投射データとして、色データ及び画像データの割当情報を投射データ設定部２６に渡し、投射データ設定部２６は当該投射データを可視光源ドライバ３３に設定する。
【００７５】
図１１（ｂ）は、レーザ光源部１０から照射されるレーザ光の照射パターンを示している。第４対象物Ｏ４が存在する位置に赤色レーザ光が照射され、第４対象物Ｏ４の左側の路面に矢印マークＯ４ａが投影される。その他の位置は赤外レーザ光のみが投射される。
【００７６】
図１２（ａ）、（ｂ）は、実施例４に係る対象物の検出結果と、照射データの別の例を示す図である。図１２（ａ）では、照射範囲２における距離マップデータ内において、第５対象物（人物）Ｏ５が検出されている。対象物認識部２２は、連続する距離マップデータ間の第５対象物Ｏ５の位置を検出することにより、第５対象物Ｏ５の移動方向が右から左であることを検出する。また連続的に検出される第５対象物Ｏ５の動きベクトルから第５対象物Ｏ５の移動速度を検出する。
【００７７】
投射データ決定部２４は第５対象物Ｏ５のスキャン位置に人物マークの画像データを割り当てるとともに、第５対象物Ｏ５のスキャン位置の左側に、「止まれ」の文字を含む画像データ又は「止まれ」のテキストデータを割り当てる。その際、第５対象物Ｏ５の進行方向に応じて文字の向きを回転する。この文字によるメッセージは、第５対象物Ｏ５である人物向けのメッセージであるため、当該人物の視線方向に応じた向きに当該文字が回転される。
【００７８】
「止まれ」の文字を含む画像データ又は「止まれ」のテキストデータを割り当てる位置は第５対象物Ｏ５の移動速度に応じて調整される。投射データ決定部２４は投射データとして、画像データ又はテキストデータの割当情報を投射データ設定部２６に渡し、投射データ設定部２６は当該投射データを可視光源ドライバ３３に設定する。
【００７９】
図１２（ｂ）は、レーザ光源部１０から照射されるレーザ光の照射パターンを示している。第５対象物Ｏ５が存在する位置に人物マークが投影され、第４対象物Ｏ４の左側の路面に「止まれ」の文字Ｏ５ａが投影される。その他の位置は赤外レーザ光のみが投射される。
【００８０】
図１３は、実施例４に係るレーザレーダ装置１の動作を説明するためのフローチャートである。赤外レーザ光源は、車両前方の所定の照射範囲に赤外レーザ光を投射する（Ｓ４０）。反射光検出器ＰＤ２は当該赤外レーザ光の反射光を検出する（Ｓ４１）。距離測定部２１は当該赤外レーザ光の反射光の、参照光に対する遅延量を検出し、対象物認識部２２は当該遅延量から反射点までの距離を測定する（Ｓ４２）。
【００８１】
対象物認識部２２は、反射点までの距離が設定距離より短いスキャン位置が出現すると対象物が検出されたと判定する（Ｓ４３）。対象物が検出された場合（Ｓ４３のＹ）、対象物認識部２２は対象物のスキャン位置、当該対象物の形状を特定する。さらに現フレームの当該対象物と、１つ前のフレームの当該対象物との差分をもとに当該対象物の動きベクトルを特定する（Ｓ４４）。対象物認識部２２は当該対象物の形状から、パターン保持部２３を参照して対象物の種別を特定する（Ｓ４５）。投射データ決定部２４は、特定された対象物の種別および動きベクトルに応じて投射データ及び当該投射データの投射位置を決定する（Ｓ４６）。投射データ設定部２６は決定された投射位置に、決定された画像データを投射データとして設定する。可視光源ドライバ３３は当該投射データをもとに可視レーザ光源を駆動する（Ｓ４７）。
【００８２】
ステップＳ４３において対象物が検出されない場合（Ｓ４３のＮ）、ステップＳ４４からステップＳ４７までの処理はスキップされる。以上に説明したステップＳ４０からステップＳ４７までの処理が、レーザレーダ装置１の電源がオンの間（Ｓ４８のＮ）、繰り返し実行され、レーザレーダ装置１の電源がオフになると（Ｓ４８のＹ）、終了する。
【００８３】
以上説明したように実施例４によれば、実施例１と同様の効果を奏する。また対象物の移動方向を示す付加情報を投影することにより、運転者に対象物の移動方向を直感的に認識させることができる。また対象物として検出された人物の進行方向の路面に、車両接近等を示すメッセージを投影することにより、歩行者の飛び出し等に対して当該歩行者に注意喚起ができる。
【００８４】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００８５】
実施例１、２を組み合わせて使用してもよい。即ち、対象物までの距離と対象物の種別の組み合わせに応じて照射光の色を決定してもよい。また対象物までの距離と対象物の大きさの組み合わせに対して照射光の色を決定してもよい。
【００８６】
実施例３、４では、可視レーザ光源として３原色のレーザダイオードではなく、単色のレーザダイオードを使用してもよい。
【００８７】
また測定された対象物までの距離が所定の距離（例えば１０ｍ）未満の場合、人物のアイセーフの観点から、可視レーザ光の照射を実行しない設定であってもよい。なお対象物の種別が人物以外の場合は、対象物までの距離が所定の距離（例えば１０ｍ）未満であっても、当該対象物に向けて可視レーザ光を照射する。また対象物が人物の場合、上述のように照射位置を人物の眼に当たらないように、ずらして照射してもよい。
【００８８】
また対象物の温度を検出できる場合、対象物の温度に応じて照射光の色を変えてもよい。例えば対象物の温度から人間や動物と判定できた場合、赤色のレーザ光を照射してもよい。
【００８９】
以上の説明ではレーザレーダ装置１を車両に搭載する適用例を示したが、当該適用例に限定されるものではない。例えば監視カメラにも適用可能である。この適用例では、レーザレーダ装置１の照射範囲に人物等の対象物が侵入すると、当該対象物に可視レーザ光が照射されることになる。
【符号の説明】
【００９０】
１  レーザレーダ装置、  ２  照射範囲、  １０  レーザ光源部、  Ｄｂ  青色レーザダイオード、  Ｄｇ  緑色レーザダイオード、  Ｄｒ  赤色レーザダイオード、  Ｄｉｒ  赤外レーザダイオード、  １１  コリメータレンズ、  １２  ダイクロイックミラー、  １３  偏向ミラー、  １４  集光レンズ、  ＰＤ１  参照光検出器、  ＰＤ２  反射光検出器、  ＡＰ１，ＡＰ２  アンプ、  ２１  距離測定部、  ２２  対象物認識部、  ２３  パターン保持部、  ２４  投射データ決定部、  ２５  投射データ保持部、  ２６  投射データ設定部、  ３１  同期クロック供給部、  ３２  赤外光源ドライバ、  ３３  可視光源ドライバ、  ３４  走査ミラードライバ。
【図１】
2017003414.tif 000003
【図２】
2017003414.tif 000004
【図３】
2017003414.tif 000005
【図４】
2017003414.tif 000006
【図５】
2017003414.tif 000007
【図６】
2017003414.tif 000008
【図７】
2017003414.tif 000009
【図８】
2017003414.tif 000010
【図９】
2017003414.tif 000011
【図１０】
2017003414.tif 000012
【図１１】
2017003414.tif 000013
【図１２】
2017003414.tif 000014
【図１３】
2017003414.tif 000015